(57)【要約】【課題】  ＡＮＴ部をケースに出し入れ可能な構造にして小型化と携帯性を高め、しかも、ＲＦ部とＢＢ部との電気的接続を維持しながら、ＲＦ部とＡＮＴ部とを一体にスライドさせることができる構造にすることで、ＲＦ部とＡＮＴ部間の線長やインピーダンスの変動による特性劣化を少なくすると共に消費電力の低減化を図ったＰＣカードを提供する。【解決手段】  ＰＣカード１は、電磁シールドされたケース２と、コネクタ部５及びＢＢ部６を有した基板３と、ＲＦ部７及びＡＮＴ部８を有した基板４とを備えている。基板４はケース２にスライド自在に収納され、ＡＮＴ部８をケース２から出し入れすることを可能にしている。そして、接続維持機構９がＢＢ部６とＲＦ部７との電気的接続を維持する。好ましくは、接続維持機構９を、ＢＢ部６に連通した端子群９０と、ＲＦ部７に連通し端子群９０に圧接された板バネ状の端子群９１とで構成する。【選択図】図１２
2005135085.tif 000002
【特許請求の範囲】
【請求項１】
電磁シールドされた両端開口のケースと、
コンピュータのカードスロットに接続することができるコネクタ部とこのコネクタ部を介して上記コンピュータとの間でベースバンド信号を入出力するためのベースバンド部とを有し、且つ上記コネクタ部を上記ケースの一方開口から露出させた状態で当該ケースに固定された第１の基板と、
無線通信回路を含んだ高周波部とこの高周波部に接続されたアンテナ部とを有し、且つ上記ケース内にスライド自在に収納されて、上記アンテナ部が当該ケースの他方開口から出し入れ可能な第２の基板と、
上記高周波部とベースバンド部との電気的接続を維持して、高周波部とベースバンド部間の信号の入出力を可能にする接続維持機構と
を具備することを特徴とするＰＣカード。
【請求項２】
上記接続維持機構は、上記ベースバンド部から引き出されたラインの先端部で形成され且つ上記第１の基板の一方面に配設された端子群と、上記高周波部から引き出された同数のラインの先端部に形成され且つ上記第２の基板であって上記第１の基板の一方面とは逆側の面に配設され上記端子群に圧接した板バネ状の端子群とを有してなる、
ことを特徴とする請求項１に記載のＰＣカード。
【請求項３】
上記接続維持機構は、上記ベースバンド部と高周波部とを電気的に接続した可撓性の導線群でなる、
ことを特徴とする請求項１に記載のＰＣカード。  
【請求項４】
上記接続維持機構は、上記ベースバンド部と高周波部とを電気的に接続したフレキシブル配線基板でなる、
ことを特徴とする請求項１に記載のＰＣカード。
【請求項５】
上記第１及び第２の基板の少なくとも一方に、上記フレキシブル配線基板を接続するためのコネクタを設けた、
ことを特徴とする請求項４に記載のＰＣカード。
【発明の詳細な説明】
【技術分野】
【０００１】
本発明はノート型パソコン（Note type Personal Computer）等のカードスロットに挿入して使用する無線通信用のＰＣカードに関するものである。
【背景技術】
【０００２】
この種のＰＣカードは、一般に、ベースバンド部（以下「ＢＢ部」と記す）と高周波部（以下「ＲＦ部」と記す）とアンテナ部（以下「ＡＮＴ部」と記す）とを一の基板に取り付け、ＡＮＴ部を露出させた状態で、この基板を電磁シールドされたケース内に収納させた構造になっている。
ところが、最近では、ＰＣカードの小型化や携帯性の観点からＡＮＴ部に工夫を凝らしたＰＣカードが出現してきている。
【０００３】
その第１の例として、ＡＮＴ部を着脱自在な構造にしたＰＣカードがある（例えば、特許文献１参照）。これにより、ＡＮＴ部を本体から外して好きな位置に配置し、送受信感度を高めるようとするものである。
【０００４】
第２の例としては、ＡＮＴ部をＲＦ部などとは別体の基板に取り付け、この基板をスライド可能な構造にして、ＡＮＴ部をケース内に引っ込めたり、ケースから出したりすることができるようにしたＰＣカードがある（例えば、特許文献２参照）。これにより、不使用時におけるＡＮＴ部の破損防止やＰＣカードの小型化を図るものである。
【０００５】
さらに第３の例として、ＢＢ部とＲＦ部とＡＮＴ部とを一の基板に取り付け、ケースに固定されたＰＣ用コネクタとの電気的接触を保ちながら、基板をスライドできるようにして、ＡＮＴ部をケース内に引っ込めたり、ケースから出したりすることができるＰＣカードがある（例えば、特許文献３参照）。これにより、第２の例のＰＣカードと同様に、不使用時におけるＡＮＴ部の破損防止やＰＣカードの小型化を図るものである。
【０００６】
【特許文献１】特開平１１−２０５１７７号公報
【特許文献２】特開２０００−２９９６０４号公報
【特許文献３】特開２００１−３３２９１４号公報
【発明の開示】
【発明が解決しようとする課題】
【０００７】
しかし、上記した従来のＰＣカードでは、次のような問題がある。
まず、第１の例のＰＣカードでは、ＡＮＴ部を単に着脱自在にしたものであるので、不使用携帯時にＡＮＴ部をケース内に収納することができない。したがって、小型化や携帯性の点で劣っている。また、ＡＮＴ部が常にケースから露出しているため、電波が強い場所や弱い場所での使い分けができない。そして、かかる電波環境に応じて使用することができるようにするには、複数のアンテナが必要となり、コスト面で問題が生じる。
【０００８】
次に、第２の例のＰＣカードでは、ＡＮＴ部が取り付けられた基板の端子が、ＲＦ部などの基板の端子に接触しながら動くので、ＲＦ部からＡＮＴ部までの線長が変化し、端子接触部付近のインピーダンスが変動する。ところが、ＲＦ部とＡＮＴ部間で送受信される信号の周波数は、例えば５ＧＨｚなど、非常に高いので、この線長の変化やインピーダンスの変動は、無線通信特性を大きく劣化させるおそれがあり、数ｄＢ程度の特性劣化が予想される。また、上記インピーダンスの変動が大きいと、送信パワーアンプの特性が劣化し、特定の対策を行わないと出力電力の低下や消費電力の増加を招く。これに対して、ＲＦ部とＡＮＴ部間をフレキシブル配線基板などで連結することもできるが、かかる場合においても、フレキシブル配線基板の撓みや湾曲の影響により、インピーダンスの変動が生じるおそれがある。
【０００９】
最後に、第３の例のＰＣカードは、ＢＢ部などが取り付けられた基板の端子が、ＰＣ用コネクタとの電気的接触を保ちながら、スライドするので、ＢＢ部とコネクタトの間の線長が変化し、端子接触部付近のインピーダンスも変動するが、ＢＢ部とコネクタとの間で送受信される信号の周波数が低いので、上記第２の例のような問題が生じるおそれがほとんどない。しかしながら、ケースに固定されたＰＣ用コネクタの端子数はＲＦ部とＢＢ部とを接続する端子数に比べて極めて多い。例えば、５ＧＨｚ帯無線ＬＡＮ用ＰＣカードでは、ＲＦ部とＢＢ部とを接続する端子数が２０端子程度であるのに対し、ＰＣ用コネクタの端子数は６８端子＋シールドＧＮＤ用８端子も必要である。このため、ＢＢ部などの基板とＰＣ用コネクタとの接触部の部品点数が多くなり、大幅なコストアップにつながる。さらに、ＰＣ用コネクタの端子の中には、その電気長や物理長が標準規格で規定されているものがある。したがって、その端子だけ、線路長やインピーダンスを不変にして、他の端子のみ可動とするような特殊な構造が接触部に必要となり、実現が難しい。そして、実現することができたとしても、大幅なコストアップにつながるという問題がある。
【００１０】
この発明は上述した課題を解決するためになされたもので、ＡＮＴ部をケースに出し入れ可能な構造にして小型化と携帯性を高め、しかも、ＲＦ部とＢＢ部との電気的接続を維持しながら、ＲＦ部とＡＮＴ部とを一体にスライドさせることができる構造にすることで、ＲＦ部とＡＮＴ部間の線長やインピーダンスの変動による特性劣化を少なくすると共に消費電力の低減化を図ったＰＣカードを提供することを目的とするものである。
【課題を解決するための手段】
【００１１】
上記課題を解決するために、請求項１の発明に係るＰＣカードは、電磁シールドされた両端開口のケースと、コンピュータのカードスロットに接続することができるコネクタ部とこのコネクタ部を介してコンピュータとの間でベースバンド信号を入出力するためのベースバンド部とを有し、且つコネクタ部をケースの一方開口から露出させた状態で当該ケースに固定された第１の基板と、無線通信回路を含んだ高周波部とこの高周波部に接続されたアンテナ部とを有し、且つケース内にスライド自在に収納されて、アンテナ部が当該ケースの他方開口から出し入れ可能な第２の基板と、高周波部とベースバンド部との電気的接続を維持して、高周波部とベースバンド部間の信号の入出力を可能にする接続維持機構とを具備する構成とした。
かかる構成により、使用時には、第１の基板のコネクタ部をコンピュータのカードスロットに接続した状態で、第２の基板をスライドさせ、アンテナ部をケースの他方開口から出すことにより、遠方との無線通信をすることが可能である。また、コネクタ部をコンピュータのカードスロットに接続した状態で、第２の基板をケース内方向にスライドさせ、アンテナ部をケース内に引っ込めることで、アンテナ部の一部が電磁シールドされたケースで隠されるので、近距離での無線通信が可能となる。通信の際には、接続維持機構が高周波部とベースバンド部との電気的接続を維持して、高周波部とベースバンド部間の信号の入出力を可能にしている。さらに、不使用時には、コネクタ部をコンピュータのカードスロットから取り外すと共に、アンテナ部をケース内に完全に引っ込めることができる。
【００１２】
請求項２の発明は、請求項１に記載のＰＣカードにおいて、接続維持機構は、ベースバンド部から引き出されたラインの先端部で形成され且つ第１の基板の一方面に配設された端子群と、高周波部から引き出された同数のラインの先端部に形成され且つ第２の基板であって第１の基板の一方面とは逆側の面に配設され端子群に圧接した板バネ状の端子群とを有してなる構成とした。
かかる構成により、第２の基板に配設された板バネ状の端子群が第１の基板に配設された端子群に圧接して、高周波部とベースバンド部との電気的接続を維持する。
【００１３】
請求項３の発明は、請求項１に記載のＰＣカードにおいて、接続維持機構は、ベースバンド部と高周波部とを電気的に接続した可撓性の導線群でなる構成とした。
請求項４の発明は、請求項１に記載のＰＣカードにおいて、接続維持機構は、ベースバンド部と高周波部とを電気的に接続したフレキシブル配線基板でなる構成とした。
請求項５の発明は、第１及び第２の基板の少なくとも一方に、フレキシブル配線基板を接続するためのコネクタを設けた構成とする。
【発明の効果】
【００１４】
請求項１及び請求項２の発明によれば、使用時には、アンテナ部をケースの他方開口から出すことにより、遠方との無線通信が可能であり、アンテナ部をケース内に引っ込めることで、近距離での無線通信が可能となるので、１つのアンテナ部で、電波が強い場所や弱い場所での使い分けができると共に、不使用時には、アンテナ部をケース内に完全に引っ込めることができるので、ＰＣカードの小型化と携帯性向上を図ることができる。さらに、通信の際には、接続維持機構が高周波部とベースバンド部との電気的接続を維持して、高周波部とベースバンド部間の信号の入出力を可能にする構成であるので、線長の変化やインピーダンスの変動が生じる個所は、低周波の信号の入出力を行う高周波部とベースバンド部間であり、この結果、線長やインピーダンスの変動による特性劣化を無視できる程度に小さくすることができるという優れた効果がある。また、高周波部とベースバンド部間を入出力する信号のエネルギーは非常に小さいので、接続維持機構を設けたことによる損失分を補正するために生じる消費電力を非常に小さくすることができる。また、高周波部とベースバンド部間の端子数は、コネクタ部とベースバンド部間の端子数に比べて極めて少なく、しかも、その電気長や物理長が標準規格で規定されていないので、接続維持機構に特殊な構造が不要となり、簡単な構造で実現することができ、この結果、ＰＣカードの大幅なコストダウンを図ることができるという効果もある。
【００１５】
また、請求項３ないし請求項５の発明によれば、接続維持機構を、自由に撓む導線群やフレキシブル配線基板で構成したので、導線群やフレキシブル配線基板を第１及び第２の基板のいずれの面にも取り付けることができ、この結果、配線設計の自由度を高くすることができるという効果がある。
【発明を実施するための最良の形態】
【００１６】
以下、この発明の最良の形態について図面を参照して説明する。
【実施例１】
【００１７】
図１は、この発明の第１実施例に係るＰＣカードを示す斜視図であり、図２は、ＰＣカードの分解斜視図であり、図３は、第１の基板３の平面図であり、図３（ａ）は表面を示し、図３（ｂ）は裏面を示し、また、図４は、第２の基板４の平面図であり、図４（ａ）は表面を示し、図４（ｂ）は裏面を示す。
図１において、符号１がＰＣカードである。このＰＣカード１は、無線ＬＡＮのＰＣカードであり、図２に示すように、ケース２と、第１の基板３と、基板３とは別体の第２の基板４とを備えている。
【００１８】
ケース２は、電磁シールドされた両端開口の箱状体であり、基板３と基板４はこのケース２内に収納されている。
【００１９】
基板３は、図３（ａ）に示すように、矩形の板体であり、コネクタ部５とＢＢ部６とをその表面３ａに有している。この基板３は、図１及び図２に示すように、コネクタ部５をケース２の後部開口２０（一方開口）から露出させた状態でケース２に固定されている。
コネクタ部５は、ノート型パソコン２００のデータバスに連結したカードスロット２０１に挿入する部分である。すなわち、ケース２をカードスロット２０１に挿入すると、ピンジャック構造のコネクタ部５がカードスロット２０１のデータバスと電気的に接続する。
また、ＢＢ部６は、周知のＬＡＮ回路であり、図３（ａ）及び（ｂ）に示すように、そのライン６０がコネクタ部５に延出している。これにより、ＢＢ部６は、コネクタ部５を介してノート型パソコン２００との間でベースバンド信号を入力，出力する。具体的には、ＢＢ部６は、図示しないコントローラによって、ノート型パソコン２００からのベースバンド信号を入力してネットワーク用の送信信号に変調する。さらに、ＢＢ部２３は、ＲＦ部７からの受信信号をベースバンド信号に復調してノート型パソコン２００に出力する。
【００２０】
一方、基板４も、図４（ａ）に示すように、矩形体の板体であり、ＲＦ部７とＡＮＴ部８とをその表面４ａに有している。この基板４は、図１及び図２に示すように、基板３と異なり、ケース２内にスライド自在に収納され、ＡＮＴ部８をケース２の前部開口２１（他方開口）から出し入れできるようになっている。
ＲＦ部７は、周知の無線通信回路であり、図示しない拡散符号発生器と乗算器などによって、基板３のＢＢ部６からの送信信号をスペクトラム拡散で変調し、ＡＮＴ部８からの受信信号をスペクトラム逆拡散で復調して基板３側に出力する。
また、ＡＮＴ部８は、図４（ａ）に示すように、誘電体基板８０上に金属からなるアンテナ電極８１をパターン形成したチップ型アンテナである。このＡＮＴ部８は、アンテナ電極８１がライン７０を介してラインＲＦ部７に接続された状態で、基板４の前部に設けられ、カバー８２で覆われた構造になっている。
【００２１】
以上のように、第１の基板３がケース２内に固定され、第２の基板４がスライド自在にケース２に組み付けられているので、この実施例では、接続維持機構９が設けられ、基板４のスライド動作時にも、基板３のＢＢ部６と基板４のＲＦ部７との電気的接続を維持して、ＢＢ部６とＲＦ部７間での信号の入出力を可能にしている。
【００２２】
図５は、接続維持機構９を示す部分拡大斜視図であり、図６は、接続維持機構９の部分拡大側面図である。
接続維持機構９は、図３（ｂ）に示す端子群９０と、図４（ａ）に示す端子群９１とで構成される。
図３（ｂ）に示すように、端子群９０は、基板３の裏面３ｂ側に引き出されたＢＢ部６の入出力ライン６１の先端部で形成されている。すなわち、端子群９０は、基板３の裏面３ｂ（一方面）の先端縁部に所定ピッチで配設されている。一方、端子群９１は、図４（ａ）に示すように、基板４の表面４ａ側に引き出されたＲＦ部７の入出力ライン７１の先端部に形成されている。すなわち、端子群９１は、基板４の表面４ａ（逆側の面）の後端縁部に所定ピッチで配設されている。
具体的には、図５及び図６に示すように、基板３の裏面３ｂに形成されている端子群９０は、長尺状の箔体であり、基板４の表面４ａに形成されている端子群９１は、上方に湾曲した板バネ状体である。そして、基板４が基板３の下側に配され、板バネ状の各端子９１が各端子９０に下方から圧接している。
これにより、図６の矢印Ａで示すように、基板４が左右にスライドすると、端子群９１が端子群９０に圧接した状態で摺動するので、図３（ｂ）及び図４（ａ）に示すように、ＢＢ部６とＲＦ部７間での信号入出力が、ライン６１，端子群９０，９１，ライン７１を通じて行われる。
【００２３】
次に、この実施例のＰＣカード１が示す動作について説明する。
図７は、不使用時におけるＰＣカード１の外観図であり、図８は、不使用時におけるＰＣカード１の透視図であり、図９は、不使用時におけるＰＣカード１の断面図である。
ＰＣカード１の不使用時には、これらの図に示すように、基板４をケース２の奥方にスライドさせて、ＡＮＴ部８をケース２内に完全に引っ込める。これにより、ＰＣカード１が小さくなり、携帯し易くなる。
【００２４】
また、ＰＣカード１を使用する場合には、基板４をケース２の前部開口２１側にスライドさせる。この際、基板４のスライド量を調整して、遠距離無線と近距離無線の使い分けが可能である。
図１０は、使用時におけるＰＣカード１の外観図であり、図１１は、使用時におけるＰＣカード１の透視図であり、図１２は、使用時におけるＰＣカード１の断面図である。
遠距離無線の場合には、これらの図に示すように、基板４をスライドさせて、ＡＮＴ部８をケース２外に完全に引き出す。そして、ケース２を図１に示したノート型パソコン２００のカードスロット２０１に挿入して、コネクタ部５をカードスロット２０１のデータバスと接続させる。
かかる状態では、図１２に示すように、接続維持機構９の端子群９０，９１が電気的に接触しているので、ノート型パソコン２００を操作して、無線通信を行うことで、ベースバンド信号の入出力が、ＢＢ部６とノート型パソコン２００との間で行われると共に、変調信号及び復調信号の入出力が、接続維持機構９を介して、ＢＢ部６とＲＦ部７との間で行われ、そして、無線信号の送受信がＲＦ部７とＡＮＴ部８との間で行われる。
この際、上記した従来の第２の例に係るＰＣカードのように、ＡＮＴ部８のみをＲＦ部７から遠ざけるのでなく、ＲＦ部７とＡＮＴ部８とを一体に動かしているので、高品質の通信が可能である。
【００２５】
また、近距離無線の場合には、基板４をスライドさせて、ＡＮＴ部８をケース２内に戻す。図９に示すように、ＡＮＴ部８をケース２内に完全に引っ込めた場合には、ＡＮＴ部８の大半が電磁シールドされたケース２によって隠されるので、強い電波を抑制し、適度な強さの電波をＡＮＴ部８で送受信することができる。したがって、ＡＮＴ部８のケース２内への引っ込め量即ちケース２からの露出量を適宜調整することで、電波環境にあった良好な無線通信を行うことができると共に消費電力も節約することができる。
【００２６】
ところで、図７〜図１２に示すように、基板４をスライドさせて、ＡＮＴ部８をケース２から出し入れするということは、ＢＢ部６とＲＦ部７との間のラインの長さが変化することを意味する。すなわち、図６の矢印Ａで示したように、基板４を左右にスライドさせると、端子群９１の端子群９０に対する圧接点が距離Ｌの範囲で摺動するので、ＢＢ部６とＲＦ部７間のライン６１，端子群９０，９１，ライン７１の合計線長が距離Ｌの範囲で変化する。このため、ＢＢ部６とＲＦ部７間のインピーダンスも距離Ｌに対応して変動することとなる。
しかしながら、ライン６１，端子群９０，９１，ライン７１を流れる信号の周波数は、例えば０〜数１０ＭＨｚ程度と、非常に小さい。したがって、この線長の変化やインピーダンスの変動による特性劣化はほとんど無視できる。また、端子群９０，９１でなる接続維持機構９をＢＢ部６とＲＦ部７間に設けたことによる電力損失分も非常に小さい。例えば、上記した従来の第２の例に係るＰＣカードのように、高周波信号を流すアンテナ電極８１とＲＦ部７間のライン７０について、その線長やインピーダンスを変化させる場合に生じる電力損失に比べると、１００分の１程度以下で済む。
【００２７】
また、図３（ａ）及び（ｂ）に示すように、ＢＢ部６とＲＦ部７間のライン６１数は、コネクタ部５とＢＢ部６間のライン６０数に比べて極めて少なく、コネクタ部５の端子のように電気長や物理長の標準規格を配慮する必要がない。このため、端子群９０，９１同士を接触させるという簡単な構造で、接続維持機構９を実現することができ、この結果、ＰＣカード１の大幅なコストダウンを図ることができる。
【実施例２】
【００２８】
図１３は、この発明の第２実施例に係るＰＣカードを示す透視斜視図であり、図１４は、ＡＮＴ部８を引っ込めた状態を示すＰＣカードの断面図であり、図１５は、ＡＮＴ部８を引き出した状態を示すＰＣカードの断面図である。
この実施例のＰＣカードは、接続維持機構９′を導線群９２で構成した点が、上記第１実施例と異なる。
具体的には、基板３において、上記端子群９０を有しない入出力ライン６１（図３参照）を基板３の表面３ａに形成すると共に、基板４において、上記端子群９１を入出力ライン７１（図４参照）から取り除く。そして、導線群９２を入出力ライン６１の先端部と入出力ライン７１の先端部とに接続することにより、ＢＢ部６とＲＦ部７とを電気的に接続した。
かかる構成により、図１４及び図１５に示すように、ＡＮＴ部８をケース２に引っ込めたり引き出したりしても、導線群９２が撓んで、ＢＢ部６とＲＦ部７との電気的接続を維持する。
このように、この実施例によれば、導線群９２で接続維持機構９′を構成するので、入出力ライン６１，７１を基板３，４のいずれの面にも設けることができ、この結果、導線群９２の取付やライン６１，７１の配線の設計に自由度が増す。例えば、上記のように、入出力ライン６１，７１を共に基板３，４の表面３ａ，４ａに設けて、導線群９２を接続するだけでなく、入出力ライン６１，７１を共に基板３，４の裏面３ｂ，４ｂに設けて、導線群９２を基板３，４の下側で接続したり、かかる入出力ライン６１，７１に連通したスルーホールを基板３，４に穿設して、導線群９２を基板３，４の上側で接続することもできる等、設計上の自由度は非常に高い。
その他の構成，作用及び効果は上記第１実施例と同様であるので、その記載は省略する。
【実施例３】
【００２９】
図１６は、この発明の第３実施例に係るＰＣカードを示す透視斜視図であり、図１７は、ＡＮＴ部８を引っ込めた状態を示すＰＣカードの断面図であり、図１８は、ＡＮＴ部８を引き出した状態を示すＰＣカードの断面図である。
この実施例のＰＣカードは、接続維持機構９′′をフレキシブル配線基板９３とコネクタ９４とで構成した点が、上記第１及び第２実施例と異なる。
具体的には、基板３において、コネクタ９４を基板３の表面３ａの入出力ライン６１（図３参照）に接続するとと共に、基板４において、フレキシブル配線基板９３の一方端部を入出力ライン７１（図４参照）に固着する。そして、フレキシブル配線基板９３の他方端部をコネクタ９４に差し込むことで、ＢＢ部６とＲＦ部７とを電気的に接続した。
このように、この実施例によれば、フレキシブル配線基板９３とコネクタ９４とで接続維持機構９′′を構成したので、フレキシブル配線基板９３をコネクタ９４に挿入するだけで、ＢＢ部６とＲＦ部７とを電気的に接続することができ、また、フレキシブル配線基板９３をコネクタ９４から容易に引き抜くことができるので、ＰＣカードの組立や修繕に便利である。
その他の構成，作用及び効果は上記第１及び第２実施例と同様であるので、その記載は省略する。
【００３０】
なお、この発明は、上記実施例に限定されるものではなく、発明の要旨の範囲内において種々の変形や変更が可能である。
例えば、上記実施例では、ＡＮＴ部８のチップ型アンテナが小型であるので、ＡＮＴ部８全体をケース２内に引っ込めることができるように、カバー８２の高さを設定したが、これに限るものではない。実装高さの高いチップ型アンテナを使用する場合には、図１９及び図２０に示すように、金属性カバー８２を高く設定して、アンテナを収納するようにしても良い。かかる場合には、ＡＮＴ部８がケース２に隠されないので、近距離通信時の消費電力の面で上記実施形態より劣るが、大型のアンテナを使用することができるので、送受信感度の良い通信が可能となる。
また、上記第３実施例では、フレキシブル配線基板９３と１つのコネクタ９４とで接続維持機構９′′を構成したが、一対のコネクタ９４を両基板３，４に設けて、フレキシブル配線基板９３をこれらのコネクタ９４に接続する構成とすることもできる。なお、上記実施例では、フレキシブル配線基板９３をコネクタ９４に接続するものを例示したが、コネクタ９４なしで、フレキシブル配線基板９３を基板３，４に直接接続するものを除外する意ではない。
また、上記実施例では、チップ型アンテナをＡＮＴ部８に適用したが、これに限らず、金属片アンテナ、基板パターンアンテナ等、基板４の前部に実装又は形成可能な全てのアンテナをＡＮＴ部８に適用することができることは勿論である。
【図面の簡単な説明】
【００３１】
【図１】この発明の第１実施例に係るＰＣカードを示す斜視図である。
【図２】ＰＣカードの分解斜視図である。
【図３】第１の基板の平面図であり、図３（ａ）は表面を示し、図３（ｂ）は裏面を示す。
【図４】第２の基板の平面図であり、図４（ａ）は表面を示し、図４（ｂ）は裏面を示す。
【図５】接続維持機構を示す部分拡大斜視図である。
【図６】接続維持機構の部分拡大側面図である。
【図７】不使用時におけるＰＣカードの外観図である。
【図８】不使用時におけるＰＣカードの透視図である。
【図９】不使用時におけるＰＣカードの断面図である。
【図１０】使用時におけるＰＣカードの外観図である。
【図１１】使用時におけるＰＣカードの透視図である。
【図１２】使用時におけるＰＣカードの断面図である。
【図１３】この発明の第２実施例に係るＰＣカードを示す透視斜視図である。
【図１４】ＡＮＴ部を引っ込めた状態を示すＰＣカードの断面図である。
【図１５】ＡＮＴ部を引き出した状態を示すＰＣカードの断面図である。
【図１６】この発明の第３実施例に係るＰＣカードを示す透視斜視図である。
【図１７】ＡＮＴ部を引っ込めた状態を示すＰＣカードの断面図である。
【図１８】ＡＮＴ部を引き出した状態を示すＰＣカードの断面図である。
【図１９】この発明の変形例を示す部分断面図であり、ＡＮＴ部を引っ込めた状態を示す。
【図２０】この発明の変形例を示す部分断面図であり、ＡＮＴ部を引き出した状態を示す。
【符号の説明】
【００３２】
１…ＰＣカード、  ２…ケース、  ３，４…基板、  ３ａ，４ａ…表面、  ３ｂ，４ｂ…裏面、  ５…コネクタ部、  ６…ＢＢ部、  ７…ＲＦ部、  ８…ＡＮＴ部、  ９，９′，９′′…接続維持機構、  ２０…後部開口、  ２１…前部開口、  ６０，６１，７１…入出力ライン、  ８０…誘電体、  ８１…アンテナ電極、  ８２…  カバー、  ９０，９１…端子群、  ９２…導線群、  ９３…フレキシブル配線基板、  ９４…コネクタ、  ２００…ノート型パソコン、  ２０１…カードスロット。
【図１】
2005135085.tif 000003
【図２】
2005135085.tif 000004
【図３】
2005135085.tif 000005
【図４】
2005135085.tif 000006
【図５】
2005135085.tif 000007
【図６】
2005135085.tif 000008
【図７】
2005135085.tif 000009
【図８】
2005135085.tif 000010
【図９】
2005135085.tif 000011
【図１０】
2005135085.tif 000012
【図１１】
2005135085.tif 000013
【図１２】
2005135085.tif 000014
【図１３】
2005135085.tif 000015
【図１４】
2005135085.tif 000016
【図１５】
2005135085.tif 000017
【図１６】
2005135085.tif 000018
【図１７】
2005135085.tif 000019
【図１８】
2005135085.tif 000020
【図１９】
2005135085.tif 000021
【図２０】
2005135085.tif 000022